(57)【特許請求の範囲】
【請求項１】
温風発生装置を内蔵し上部が開口された本体と、該本体の外郭に設けられた吸気口から前記温風発生装置の吸込口までの間に形成された風路とを備え、
該風路内に、前記温風発生装置のヒータが設置されたヒータケースを設けるとともに、該ヒータケースの前記吸気口に近接する壁面に温度過昇防止装置を取り付け、
また、本体内に、該本体から供給された温風を吹き出してふとんを乾燥させるエアマットおよび該エアマットを前記本体に接続するホースを収納する収納部を設けるとともに、前記本体の上端部に、前記収納部および本体の上部開口部を覆う開閉自在な収納蓋を設け、
また、前記本体の上端部および収納蓋の下端部に、該収納蓋の回動範囲を規制し、かつ収納蓋を閉成状態または開放状態で保持する保持機構を設け、
さらに、両端部が本体の上部に吸気口とほぼ直交して回動可能に軸支されたハンドルを設け、該ハンドルを吸気口側に回動してハンドルにより前記本体を吸気口を下方にして支持したときに、前記本体の吸気口と載置面との間および開放された収納蓋と載置面との間に隙間を形成するようにし、前記ハンドルにより本体を吸気口を下方にして支持した状態で、前記ハンドルが、該ハンドルの支点から載置面に下ろした垂線よりも前記本体の底部側に位置し、その状態で荷重が加えられた場合、ハンドルが本体底部側に回動するように構成したことを特徴とするふとん乾燥機。
【発明の詳細な説明】
【０００１】
【発明の属する技術分野】
本発明は、温風によりふとんを乾燥させるふとん乾燥機に関するものである。
【０００２】
【従来の技術】
温風によりふとんを乾燥させるふとん乾燥機の一例として、実開昭６４−３１０９８号公報に開示された考案があり、図８乃至図１０にそれを示す。
【０００３】
図において、３１はふとん乾燥機の本体で、その外郭は前ケース３２と後ろケース３３と後述する収納部４４を覆う開閉可能な収納蓋３４とによって構成されている。また、本体３１には、風路３７内に設けられたファン３５と、風路３７に設けられたファン吸込口３７ａを介してファン３５に連結されファン３５を駆動するモータ３６と、風路３７の下流側に連通して設けられたヒータケース３９内に設置されたヒータ３８とからなる温風発生装置が内蔵されており、ヒータケース３９の壁面にはサーモスタットの如き温度過昇防止装置４０が取り付けられている。
【０００４】
４１は蛇腹状のホースで、一端がヒータケース３９の下流側に設けられたホース接続口４２に接続され、他端は使用時において全面から吹き出る温風によってふとんを乾燥するエアマット４３に接続されて、本体３１内で発生した温風をエアマット４３側に送る。４４は本体１内のホース接続口４２の下流側に凹状に形成され、ホース４１およびエアマット４３を収納する収納部で、本体３１のホース接続口４２に対向する位置には、収納部４４に連通しホース４１を本体３１外に導く開口部４５が設けられている。
【０００５】
４６は本体３１の開口部４５に対向する側に設けられた吸気口で、その外側にフィルター４７およびフィルターカバー４８とが取り付けられている。また、本体３１の開口部４５および吸気口４６に直交する側の一方には、本体３１を持ち運ぶためのハンドル４９が設けられ、他方には本体３１を支持する複数の脚部５０が設けられている。
【０００６】
そして、このように構成されたふとん乾燥機を用いてふとんを乾燥する場合は、まず、収納蓋３４を開けて収納部４４からエアマット４３を取り出し、ホース４１を開口部４５に設置して、ホース４１の先にエアマット４３を接続する。ついで、収納蓋３４を閉めて、エアマット４３を掛けふとんと敷きふとんの間に設置し、本体３１を駆動させると、図９の矢印Ｂに示すように、外気が吸気口４６から本体３１内に取り込まれ、ファン吸込口３７ａおよび風路３７を介してヒータケース３９内に送られる。ヒータケース３９内に送られた外気はヒータ３８によって暖められて温風となり、ホース接続口４２からホース４１を介してエアマット４３内に送られる。そして、温風はエアマット４３の全面から吹き出し、各ふとんを通過してそれぞれを乾燥する。
【０００７】
【発明が解決しようとする課題】
上記のような従来のふとん乾燥機は、本体３１内に内蔵されたヒータ３８のヒータケース３９が、ファン３５の下流側で風路３７に連通するように設けられているので、ヒータケース３９はヒータ３８の輻射熱によって常に高温にさらされている。このため、ヒータケース３９はその熱によって熱くなってしまい、本体３１自体の温度を高めてしまうおそれがあるとともに、ヒータ３８を含む本体３１に内蔵の各種機器や本体３１の外郭などに損傷を与えるおそれがあった。そこで、ヒータケース３９は大きく肉厚でかつ頑丈に形成されたものが設けられていたが、このようにヒータケース３９を形成すると、ヒータケース３９だけでなくふとん乾燥機全体が大型でかつ重たくなってしまい、コスト高で取り扱いの不便なものになってしまっていた。
【０００８】
また、ふとん乾燥機の使用中において、誤って吸気口４６を塞ぐように本体３１上にものが被さったり、あるいは本体３１が倒れたりした場合には、吸気口４６から外気を取り込むことができなくなってしまうため、本体３１の異常な過熱を招くおそれがあった。この過熱を防止するために、ヒータケース３９の壁面に温度過昇防止装置４０が設けられているが、ヒータケース３９はヒータ３８の輻射熱によって常に高温にさらされているので、温度過昇防止装置４０が作動する温度に対するふとん乾燥機が正常に動作している通常の場合のヒータケース３９の温度と、異常動作している場合のヒータケース３９の温度との差がわかりにくかった。これにより、ふとん乾燥機が正常に動作しているにもかかわらず温度過昇防止装置４０が作動してふとん乾燥機の駆動を停止したり、あるいは、その反対で異常時にもかかわらず温度過昇防止装置４０の作動が遅くなりふとん乾燥機の駆動をすぐに停止させることができないなど、温度過昇防止装置４０の誤動作を招くおそれがあった。
【０００９】
本発明は、上記のような課題を解決するためになされたもので、全体構造の大型化を抑え、本体のヒータの輻射熱による悪影響および異常過熱を防止して、ふとんを効率よく乾燥することのできるふとん乾燥機を提供することを目的としたものである。
【００１０】
【課題を解決するための手段】
本発明に係るふとん乾燥機は、温風発生装置を内蔵し上部が開口された本体と、本体の外郭に設けられた吸気口から温風発生装置の吸込口までの間に形成された風路とを備え、風路内に、温風発生装置のヒータが設置されたヒータケースを設けるとともに、ヒータケースの吸気口に近接する壁面に温度過昇防止装置を取り付け、また、本体内に、本体から供給された温風を吹き出してふとんを乾燥させるエアマットおよびエアマットを本体に接続するホースを収納する収納部を設けるとともに、本体の上端部に、収納部および本体の上部開口部を覆う開閉自在な収納蓋を設け、また、本体の上端部および収納蓋の下端部に、収納蓋の回動範囲を規制し、かつ収納蓋を閉成状態または開放状態で保持する保持機構を設け、さらに、両端部が本体の上部に吸気口とほぼ直交して回動可能に軸支されたハンドルを設け、ハンドルを吸気口側に回動してハンドルにより本体を吸気口を下方にして支持したときに、本体の吸気口と載置面との間および開放された収納蓋と載置面との間に隙間を形成するようにし、ハンドルにより本体を吸気口を下方にして支持した状態で、ハンドルが、ハンドルの支点から載置面に下ろした垂線よりも本体の底部側に位置し、その状態で荷重が加えられた場合、ハンドルが本体底部側に回動するように構成したものである。
【００１６】
【発明の実施の形態】
実施の形態１．
図１は本発明の実施の形態の断面で示した正面図、図２は本発明の実施の形態の側断面図、図３は図１のＸ−Ｘ断面図である。図において、１は上部が開口した正面縦長の矩形状に形成されたふとん乾燥機の本体で、その外郭は前ケース２と後ろケース３によって構成されており、両ケース２，３は、本体１の内部を駆動部４と収納部１６とに仕切る仕切壁２ａ，３ａをそれぞれ備えている。また、前ケース２の上端部のほぼ中央部には後述する収納蓋１９が係合する係止片２ｂが設けられており、後ろケース３の上端部には、収納蓋１９が開閉可能に取り付けられ、収納蓋１９を閉成状態または開放状態で保持する保持機構であるヒンジ部２３が設けられている。
【００１７】
ヒンジ部２３は、図５に示すように、後ろケース３の上端部に設けられた凹部３ｂと、その凹部３ｂのほぼ中央部に設けられたストッパー部３ｃと、凹部３ｂから外側に円弧状に突出しほぼ中央部に貫通孔３ｅを有する一対の軸受け部３ｄと、軸受け部３ｄの貫通孔３ｅに挿通されるヒンジ軸２４とによって構成されている。
【００１８】
駆動部４は、図１乃至図３に示すように、前ケース２側にファン吸込口６ａを有し、上部にファン排出口６ｂが設けられたファンケース６内に設置されたファン５、ファン吸込口６ａを介してファン５に連結されファン５を駆動するモータ７およびファンケース６のファン排出口６ｂに連結された角筒状のヒータケース８内に設置されたヒータ（図示せず）からなる温風発生装置と、ヒータケース８の後ろケース３側の壁面に取り付けられた温度過昇防止装置９と、一端がヒータケース８の下流側に接続され、他端が仕切壁２ａ，３ａに設けられたホース接続口１１から突出した温風排出管１０とを備えている。また、後ろケース３の上部には吸気口１２が設けられており、その外側にはフィルター１３および連通孔１４ａを有するフィルターカバー１４が取り付けられている。そして、外気は、フィルターカバー１４の連通孔１４ａおよびフィルター１３を介して吸気口１２からファンケース６の上面およびヒータケース８の壁面の周りを通ってモータ７側へ導かれる風路１５を通り、ファン吸込口６ａからファンケース６内に取り込まれてファン排出口６ｂからヒータケース８内に送られ、ヒータで温められて温風となって温風排出管１０へと送られる。
【００１９】
収納部１６は、一端が温風排出管１０に連通するようにホース接続口１１に接続された伸縮自在で蛇腹状のホース１７と、ホース１７の他端が接続され、使用時において全面から温風が吹き出るエアマット１８とを備えており、不使用時において、ほぼＬ字状に折り曲げられたホース１７および適当にたたまれたエアマット１８が収納される。
【００２０】
１９は収納部１６を形成しかつ本体１の上部開口部および収納部１６を覆う開閉自在の収納蓋で、本体１の後ろケース３の上端部に設けられたヒンジ部２３を介して取り付けられており、本体１の前ケース２の上端部に設けられた係止片２ｂに収納蓋１９の係合部２０が係合することによって、収納蓋１９が閉成されるようになっている。また、収納蓋１９の下端部の係合部２０に対向する側には、ヒンジ部２３のヒンジ軸２４に嵌合し、収納蓋１９の回動範囲を規制しかつ収納蓋１９を閉成状態または開放状態で保持する保持機構である嵌合部２１が複数設けられている。
【００２１】
嵌合部２１は、図４および図５に示すように、軸方向にヒンジ軸２４が挿通される断面ほぼＣ字状の胴部２１ａと、その長手方向のほぼ中央部に後ろケース３の凹部３ｂに設けられたストッパー部３ｃが嵌入される切欠部２２とを備えている。そして、図５（ａ）に示すように、ヒンジ軸２４に嵌合部２１の胴部２１ａが嵌合された収納蓋１９を閉まる方向（矢印ｍ方向）に回動すると、嵌合部２１の他方の端部２１ｃが後ろケース３の凹部３ｂに設けられたストッパー部３ｃの上面部に当接し、収納蓋１９がそれ以上閉まる方向に回動されないように規制されて保持される。また、図５（ｂ）に示すように、収納蓋１９を開く方向（矢印ｎの方向）に回動すると、ストッパー部３ｃが嵌合部２１の切欠部２２に嵌入して切欠部２２の底部２２ａがストッパー部３ｃの側面部に当接し、収納蓋１９がそれ以上開く方向に回動されないように規制されて保持される。さらに、図５（ｂ）に示すように、収納蓋１９が開放状態にあるときは、嵌合部２１の他方の端部２１ｃがヒンジ軸２４の外周面に当接してその位置に保持されるようになっており、ある程度の強い力を収納蓋１９の閉じる方向に加えると、収納蓋１９は閉じられる。
【００２２】
図２において、２５は後ろケース３の下部に複数設けられ、本体１を後ろケース３側に倒して使用する場合に本体１を支持する突起部、２６は前ケース２の上部に設けられ、ふとん乾燥機の乾燥の開始および時間設定などを行う操作部である。
【００２３】
このように構成したこの実施の形態１において、ふとんを乾燥する場合、まず、ふとん乾燥機の収納蓋１９を開けて収納部１６内のホース１７を伸ばし、エアマット１８を取り出す。ついで、ふとん乾燥機の本体１を後ろケース３に設けた突起部２５を支点にしてゆっくりと倒し、図６に示すように、収納蓋１９の天面部を載置する床面Ｆに当接させて、本体１を傾斜した状態にする。このとき、収納蓋１９は、本体１のヒンジ部２３のストッパー部３ｃが嵌合部２１の切欠部２２に嵌入し、切欠部２２の底部２２ａがストッパー部３ｃの側面部に当接して開く方向に回動されないように規制されて保持され、収納蓋１９の天面部および突起部２５によって本体１は支持される。また、本体１は比較的軽く形成されているので、収納蓋１９の嵌合部２１の他方の端部２１ｃがヒンジ軸２４の外周面に当接することによってその位置に保持され、吸気口１２と床面Ｆとの間に隙間Ｇ１が形成される。
【００２４】
次に、エアマット１８を広げて掛けふとんと敷きふとんの間に設置した後、本体１に設けられた操作部２６を操作して本体１を駆動させると、図２および図３の矢印Ａに示すように、外気が吸気口１２から本体１の駆動部４内に取り込まれ、風路１５を通ってファン吸込口６ａからファンケース６内に送られる。このとき、外気はファンケース６の上面およびヒータケース８の壁面の周りを通るので、ヒータケース８の熱を奪いつつ暖まりながらモータ７側へと送られる。ついで、ファンケース６内に送られた外気はヒータケース８内に送られてヒータによって暖められ、温風となって温風排出管１０およびホース１７を介してエアマット１８内に送られる。そして、温風はエアマット１８の全面から吹き出して掛けふとんおよび敷きふとんを通過し、それぞれの湿気を除去する。これを所定時間行い、各ふとんを乾燥する。
【００２５】
乾燥終了後、本体１を起こして元の状態に立たせて、掛けふとんと敷きふとんの間に設置していたエアマット１８を取り出し、エアマット１８内に空気が残っている場合は表面から排出させてある程度の大きさに折りたたむ。ついで、エアマット１８を収納部１６に収納しながらホース１７をほぼＬ字状に折り曲げ、収納蓋１９が閉められる状態にする。そして、収納蓋１９を閉める方向に力を加えて回動し、前ケース２の係止片２ｂに収納蓋１９の係合部２０を係合して収納蓋１９を閉め、収納部１６を閉塞する。
【００２６】
このように、吸気口１２から本体１の駆動部４内に取り込まれた外気は、風路１５を通ってファン吸込口６ａからファンケース６内に送られるが、そのときに風路１５内に設けられているファンケース６の上面およびヒータケース８の壁面の周りを通って、ヒータケース８の熱を奪いつつモータ７側へと送られるので、ヒータケース８を外気によって冷却することができる。
【００２７】
これにより、本体１自体の温度を低く保てて、ヒータを含む本体１に内蔵の各種機器や本体１の外郭などに損傷を与えるのを防ぐことができるとともに、ヒータケース８を大きく肉厚に形成しなくてもよく、本体１全体の大型化およびコスト高を抑えて取り扱いの便利なふとん乾燥機を得ることができる。また、外気によってヒータケース８が冷却されるため、ヒータケース８の壁面に取り付けられた温度過昇防止装置９が作動する温度と、ふとん乾燥機が正常に動作している通常の場合のヒータケース８の温度との差が大きく取れるため、温度過昇防止装置９の誤動作を防ぐことができる。さらに、外気はヒータケース８の熱を奪うことによってヒータへ送られる前に若干暖められるため、外気をヒータによって効率よく暖めることができ、ふとん乾燥機の乾燥効率も高めることができる。
【００２８】
また、ふとんを乾燥する場合は、本体１を後ろケース３側に突起部２５を支点に倒し、収納蓋１９の天面部を床面Ｆに当接して傾斜した状態で載置するので、図６に示すように、後ろケース３に設けられた吸気口１２と床面Ｆとの間に隙間Ｇ１を形成することができ、誤って本体１上にものが被さっても吸気口１２が塞がったりすることがなく、外気の取り入れ経路（矢印Ａ）を確実に確保することができ、本体１の異常な過熱を防止することができる。
【００２９】
実施の形態２．
本発明の実施の形態２は、図１に示すように、実施の形態１に係る本体１を持ち運び、かつ本体１を後ろケース３側に傾斜させた場合に本体１を支持するための正面円弧状に形成されたハンドル２７を、その両端部が本体１の上部に吸気口１２とほぼ直交して回動可能に軸支させたものである。そして、後ろケース３方向（図７の矢印Ｃ方向）に回動したハンドル２７は、図７に示すように、本体１を突起部２５を支点に後ろケース３側に倒したときに、ハンドルの支点２７ａから床面Ｆに向かって下ろした垂線Ｄよりも本体１の底部側で位置し、かつハンドル２７の床面Ｆに当接する端部２７ａによって、吸気口１２と床面Ｆとの間に隙間Ｇ１が形成され、また開放された収納蓋２０の天面部と床面Ｆとの間に隙間Ｇ２が形成されるように構成されている。
【００３０】
このように構成したことにより実施の形態１とほぼ同じ作用および効果が得られ、後ろケース３側に回動したハンドル２７によって、後ろケース３に設けられた吸気口１２と床面Ｆとの間に隙間Ｇ１を形成することができ、誤って本体１上にものが被さっても吸気口１２が塞がったりすることがなく、外気の取り入れ経路を確保することができ、本体１の異常な過熱を防止することができる。また、開放された収納蓋１９の天面部と床面Ｆとの間にも隙間Ｇ２を形成することができるので、外気の取り入れ経路をより確実に確保することができ、本体１の異常な過熱を防止することができる。
【００３１】
さらに、図７に示すように、本体１にその上方から異常な荷重Ｗ（例えば子供が誤って本体１に乗っかるなど）が加えられた場合、ハンドル２７が本体１の底部側（矢印Ｃ方向）に回動することによってその荷重を若干吸収するので、本体１およびハンドル２７への損傷を防ぐことができるとともに、開放されている収納蓋１９への直接的な衝撃を防ぐことができ、収納蓋１９の破損も防止することができる。また、ハンドル２７の強度をアップさせる必要性がないため、ふとん乾燥機のコスト高を抑えることができる。
【００３２】
なお、上述の実施の形態２では、後ろケース３方向に回動したハンドル２７と突起部２５とによって、本体１を傾斜させて支持する場合を示したが、図７に示すように、本体１の後ろケース３にハンドル２７を所定の位置に保持させるストッパー部２８を設けてもよい。これにより、安定した状態で本体１を支持することができる。
【００３３】
【発明の効果】
以上のように本発明に係るふとん乾燥機は、温風発生装置を内蔵し上部が開口された本体と、本体の外郭に設けられた吸気口から温風発生装置の吸込口までの間に形成された風路とを備え、風路内に、温風発生装置のヒータが設置されたヒータケースを設けるとともに、ヒータケースの吸気口に近接する壁面に温度過昇防止装置を取り付けたので、吸気口から取り込まれ風路内を通る外気によってヒータケースを冷却することができる。これにより、ヒータケースおよび本体の温度を低く保つことができ、ヒータを含む本体に内蔵の各種機器や本体の外郭などに損傷を与えるのを防ぐことができる。また、ヒータケースを肉厚に形成したり大型に形成することがなくなり、本体全体の大型化およびコスト高を抑えて取り扱いの便利なふとん乾燥機を得ることができる。さらに、ヒータケースの熱を奪った外気は、ヒータへ送られる前に若干暖められるため、ヒータによって効率よく暖めて温風を発生させることができ、ふとん乾燥機の乾燥効率も高めることができる。また、ヒータケースの壁面に温度過昇防止装置を取り付けたので、外気によって冷却されるヒータケースによって、温度過昇防止装置の作動温度と、ヒータケースの温度との差を大きく取ることができ、温度過昇防止装置の誤動作を防止することができる。
また、本体内に、本体から供給された温風を吹き出してふとんを乾燥させるエアマットおよびエアマットを本体に接続するホースを収納する収納部を設けるとともに、本体の上端部に、収納部および本体の上部開口部を覆う開閉自在な収納蓋を設け、本体の上端部および収納蓋の下端部に、収納蓋の回動範囲を規制し、かつ収納蓋を閉成状態または開放状態で保持する保持機構を設けたので、ふとん乾燥機の不使用時または使用時に対応して収納蓋を所定の位置に確実に保持することができる。
また、両端部が本体の上部に吸気口とほぼ直交して回動可能に軸支されたハンドルを設け、ハンドルを吸気口側に回動してハンドルにより本体を吸気口を下方にして支持したときに、本体の吸気口と載置面との間および開放された収納蓋と載置面との間に隙間を形成するようにしたので、吸気口が塞がったりすることがなく、外気の取り入れ経路を確保することができ、本体の異常な過熱を防止することができる。
さらに、ハンドルにより本体を吸気口を下方にして支持したときに、ハンドルが、ハンドルの支点から載置面に下ろした垂線よりも本体の底部側に位置し、その状態で荷重が加えられた場合、ハンドルが本体底部側に回動するように構成したので、本体の上方から荷重が加えられた場合、ハンドルが本体の底部側に回動してその荷重を若干吸収することができ、本体およびハンドルへの損傷を防ぐことができる。また、開放されている収納蓋への直接的な衝撃を防ぐことができ、収納蓋の破損も防止することができる。さらに、ハンドルの強度をアップさせる必要性がないため、ふとん乾燥機のコスト高を抑えることができる。
【図面の簡単な説明】
【図１】  本発明の実施の形態の断面で示した正面図である。
【図２】  本発明の実施の形態の側断面図である。
【図３】  図１のＸ−Ｘ断面図である。
【図４】  本発明の実施の形態に係る収納蓋の嵌合部の斜視図である。
【図５】  本発明の実施の形態に係るヒンジ部および収納蓋の嵌合部の作用説明図である。
【図６】  本発明の実施の形態１の作用説明図である。
【図７】  本発明の実施の形態２の作用説明図である。
【図８】  従来のふとん乾燥機の収納蓋を開放した場合の斜視図である。
【図９】  従来のふとん乾燥機の一部断面で示した上面図である。
【図１０】  従来のふとん乾燥機の一部断面で示した正面図である。
【符号の説明】
１  本体、２  前ケース、３  後ろケース、３ｃ  ストッパー部、５  ファン、７  モータ、８  ヒータケース、９  温度過昇防止装置、１２  吸気口、１５風路、１６  収納部、１７  ホース、１８  エアマット、１９  収納蓋、２１嵌合部、２２  切欠部、２２ａ  底部、２３  ヒンジ部、２７  ハンドル、Ｄ垂線、Ｆ  床面、Ｇ１，Ｇ２  隙間。
【図１】
0003663537.tif 000002
【図２】
0003663537.tif 000003
【図３】
0003663537.tif 000004
【図４】
0003663537.tif 000005
【図５】
0003663537.tif 000006
【図６】
0003663537.tif 000007
【図７】
0003663537.tif 000008
【図８】
0003663537.tif 000009
【図９】
0003663537.tif 000010
【図１０】
0003663537.tif 000011